(57)【要約】【課題】通話相手へと送信される送話音声信号に混入されるテレビ音声信号を低減させる。【解決手段】送話音声信号から、テレビジョン音声に対応する第１の雑音信号を除去する送話音声処理部３１と、を備え、前記送話音声処理部３１は、前記マイク１を介して入力される前記送話音声信号と前記デコード部３−１を介して入力される前記テレビジョン音声信号とに基づいて、前記送話音声信号に含まれる第１の雑音信号の前記テレビジョン音声信号に対する入力遅延時間を算出する遅延時間算出手段３１−１と、前記第１の雑音信号の前記テレビジョン音声信号に対する音量比率を算出する音量比率算出手段３１−２と、前記入力遅延時間と前記音量比率と前記テレビジョン音声信号とに基づいて、テレビジョン音声信号の逆位相信号を生成する逆位相信号生成手段３１−３と、を含む。【選択図】図３
2008311876.tif 000002
【特許請求の範囲】
【請求項１】
テレビジョン信号を受信するテレビジョン信号受信部と、
前記テレビジョン信号からテレビジョン音声信号を抽出するデコード部と、
インターネットプロトコル（ＩＰ）を利用して、通話先から受話音声信号を受信するとともに、前記通話先へ送話音声信号を送信する電話通信部と、
前記テレビジョン音声信号および前記受話音声信号をそれぞれテレビジョン音声および受話音声に変換して出力可能なスピーカと、
入力された送話音声を送話音声信号に変換するマイクと、
前記送話音声信号から、前記スピーカから出力されて前記マイクに入力されたテレビジョン音声に起因した第１の雑音信号を除去する送話音声処理部と、を備え、
前記送話音声処理部は、
前記デコード部からの前記テレビジョン音声に基づいて前記第１の雑音信号の逆位相信号を生成する逆位相信号生成手段と、
前記マイクからの前記送話音声信号に前記逆位相信号を加算して前記電話通信部へ出力する加算手段と、
前記マイクからの前記送話音声信号と前記デコード部からの前記テレビジョン音声信号とに基づいて、前記送話音声信号に含まれる前記第１の雑音信号の前記テレビジョン音声信号に対する入力遅延時間を算出する遅延時間算出手段と、
前記送話音声信号と前記テレビジョン音声信号とに基づいて、前記第１の雑音信号の前記テレビジョン音声信号に対する音量比率を算出する音量比率算出手段と、を含み、
前記逆位相信号生成手段は、前記デコード部からの前記テレビジョン音声信号の位相を反転させるとともに、振幅を前記音量比率に基づいて増減させ、かつ前記入力遅延時間に基づいて遅延出力することにより、前記逆位相信号を生成する、電話機能付きテレビジョン装置。
【請求項２】
テレビジョン信号を受信するテレビジョン信号受信部と、
前記テレビジョン信号からテレビジョン音声信号を抽出するデコード部と、
通話先から受話音声信号を受信するとともに、前記通話先へ送話音声信号を送信する電話通信部と、
前記テレビジョン音声信号をテレビジョン音声に変換して出力可能なスピーカと、
入力された送話音声を送話音声信号に変換するマイクと、
前記送話音声信号から、前記スピーカから出力されて前記マイクに入力されたテレビジョン音声に起因した第１の雑音信号を除去する送話音声処理部と、を備え、
前記送話音声処理部は、
前記マイクからの前記送話音声信号と前記デコード部からの前記テレビジョン音声信号とに基づいて、前記送話音声信号に含まれる第１の雑音信号の前記テレビジョン音声信号に対する入力遅延時間を算出する遅延時間算出手段と、
前記送話音声信号と前記テレビジョン音声信号とに基づいて、前記第１の雑音信号の前記テレビジョン音声信号に対する音量比率を算出する音量比率算出手段と、
前記デコード部からの前記テレビジョン音声と、前記入力遅延時間と、前記音量比率と、に基づいて前記第１の雑音信号の逆位相信号を生成する逆位相信号生成手段と、
前記マイクからの前記送話音声信号に前記逆位相信号を加算して前記電話通信部へ出力する加算手段と、を含む、電話機能付きテレビジョン装置。
【請求項３】
前記逆位相信号生成手段は、前記デコード部からの前記テレビジョン音声信号の位相を反転させるとともに、振幅を前記音量比率に基づいて増減させ、かつ前記入力遅延時間に基づいて遅延出力することにより、前記逆位相信号を生成する、請求項２に記載の電話機能付きテレビジョン装置。
【請求項４】
前記スピーカは、前記テレビジョン音声信号および前記受話音声信号をそれぞれテレビジョン音声および受話音声に変換して出力する、請求項２または３に記載の電話機能付きテレビジョン装置。
【請求項５】
前記電話通信部は、インターネットプロトコル（ＩＰ）を利用して、通話先との間で通話を行なう、請求項２から４のいずれか１項に記載の電話機能付きテレビジョン装置。
【請求項６】
前記送話音声処理部は、前記送話音声信号から、前記スピーカから出力されて前記マイクに入力された受話音声に起因した第２の雑音信号を除去し、
前記逆位相信号生成手段は、前記テレビジョン音声信号および前記受話音声信号の位相を反転させるとともに、振幅を前記音量比率に基づいて増減させ、かつ前記入力遅延時間に基づいて遅延出力することにより、前記逆位相信号を生成する、請求項４に記載の電話機能付きテレビジョン装置。
【請求項７】
請求項２から６のいずれか１項に記載の電話機能付きテレビジョン装置と、赤外線を介して当該テレビジョン装置を遠隔操作するためのリモコン装置とからなるテレビジョンシステムであって、
前記電話機能付きテレビジョン装置は、
無線信号を用いて、前記リモコン装置との間で前記送話音声信号と前記受話音声信号と前記テレビジョン音声信号とを送受信するための第１の送受信部を、さらに備え、
前記リモコン装置は、
前記第１の送受信部との間で前記送話音声信号と前記受話音声信号と前記テレビジョン音声信号とを送受信するための第２の送受信部と、
受信した前記受話音声信号と前記テレビジョン音声信号と基づいて受話音声とテレビジョン音声とを出力するリモコン出力部と、
入力される送話音声を送話音声信号に変換するリモコン入力部と、を備える、テレビジョンシステム。
【請求項８】
電話機能付きテレビジョン装置における雑音信号の除去方法であって、
前記電話機能付きテレビジョン装置は、
テレビジョン信号を受信するテレビジョン信号受信部と、
前記テレビジョン信号からテレビジョン音声信号を抽出するデコード部と、
通話先から受話音声信号を受信するとともに、前記通話先へ送話音声信号を送信する電話通信部と、
前記テレビジョン音声信号をテレビジョン音声に変換して出力可能なスピーカと、
入力された送話音声を送話音声信号に変換するマイクと、
前記送話音声信号から、前記スピーカから出力されて前記マイクに入力されたテレビジョン音声に起因した第１の雑音信号を除去する送話音声処理部と、を備え、
前記雑音信号の除去方法は、
前記送話音声処理部が、前記マイクからの前記送話音声信号と前記デコード部からの前記テレビジョン音声信号とに基づいて、前記送話音声信号に含まれる第１の雑音信号の前記テレビジョン音声信号に対する入力遅延時間を算出するステップと、
前記送話音声処理部が、前記送話音声信号と前記テレビジョン音声信号とに基づいて、前記第１の雑音信号の前記テレビジョン音声信号に対する音量比率を算出するステップと、
前記送話音声処理部が、前記デコード部からの前記テレビジョン音声と、前記入力遅延時間と、前記音量比率と、に基づいて前記第１の雑音信号の逆位相信号を生成するステップと、
前記送話音声処理部が、前記マイクからの前記送話音声信号に前記逆位相信号を加算して前記電話通信部へ出力するステップと、を備える、雑音信号の除去方法。
【発明の詳細な説明】
【技術分野】
【０００１】
本発明は、電話機能を内蔵するテレビジョン装置、当該テレビジョン装置とリモコン装置とからなるテレビジョンシステム、および当該テレビジョン装置を使用した雑音信号の除去方法に関する。
【背景技術】
【０００２】
従来より、マイクに入力された音声を解析することによってノイズ成分を除去するノイズキャンセラが知られている。
【０００３】
たとえば、特開２００３−２４９９９６号公報（特許文献１）は、所定のオーディオ音声信号を入力するオーディオ音声信号入力手段と、受話音声信号に前記オーディオ音声信号を混合した混合音声信号を音声出力手段に出力する音声信号混合手段と、前記混合音声信号に基づいて前記通話装置へ出力する前記送話音声信号から前記混合音声信号に対応する混入音声信号を除去する混入音声信号除去手段と、を具備する音声信号入出力装置を開示している。
【０００４】
また、特許第２８４２６０７号公報（特許文献２）は、第１および第２の入力端子と第１および第２の出力端子を持ち、第１の出力端子と第２の入力端子との間の音響的結合による反響路を適応的に推定し、前記第２の入力端子に入力される信号から前記反響路を経てきた信号を打ち消すエコーキャンセラにおいて、前記第１の入力端子に、複数の入力信号を混合する信号混合手段を設ける技術を開示している。
【０００５】
また、特開２００１−１００７８５号公報（特許文献３）は、エコーキャンセラがマイクロホン出力からマルチチャンネル音響による反響音を除去する技術を開示している。
【０００６】
また、特開平８−１０７３７５号公報（特許文献４）は、音声や音楽などの音をスピーカで再生しながらマイクで音を拾い、その音から再生音を打ち消した信号を記録する再生装置の技術を開示している。
【特許文献１】特開２００３−２４９９９６号公報
【特許文献２】特許第２８４２６０７号公報
【特許文献３】特開２００１−１００７８５号公報
【特許文献４】特開平８−１０７３７５号公報
【特許文献５】特開平１０−３２６３８号公報
【特許文献６】特開２００３−３１８７８４号公報
【発明の開示】
【発明が解決しようとする課題】
【０００７】
また、特開２００３−２４９９９６号公報（特許文献１）および特許第２８４２６０７号公報（特許文献２）に記載の技術は、ノイズ源のオーディオ信号を外部から当該装置に入力することにより通話音声からノイズ源であるオーディオ信号を取り除く方法であるため、オーディオ装置から当該装置までオーディオ信号を入力するための入力ラインを繋がなければならないという問題点があった。
【０００８】
また、マイク入力された音声から人の声音の周波数を除去する仕組みがあるが、そもそもテレビ音声には人の声が含まれることが多いため、当該仕組みではマイク入力されたテレビ音声を有効に除去することができなかった。加えて、複数のマイクによって周囲の音を拾い、電気的に周囲の音の逆位相音を生成してノイズを除去する方法があるが、ノイズのキャンセルのために複数のマイクを必要とするためコストアップを招くという問題点があった。
【０００９】
また、テレビジョン装置に電話機能を搭載すると、相手先との通話を行なうための構成、すなわち相手先からの受話音声の出力および相手先への送話音声の入力などに係る装置、を内蔵する必要があり、ユーザはテレビジョン装置から所定距離内で通話せざるを得ない。そのため、テレビの視聴中にはテレビジョン装置から出力される音声がマイクに入力されてしまい、相手方にテレビの音声が混入した送話音声が送信されてしまう。つまり、通話相手に送信される送話音声にテレビの音声が混じってしまい、通話相手が送話音声を聞き取り難いという問題点があった。
【００１０】
さらに、上述の特許文献１〜６に開示される発明は、電話機能を内蔵したテレビジョン装置を考慮した技術に関する発明ではないため、上述の特許文献１〜６に開示されている発明に基づいて単純にテレビジョン装置に電話機能を内蔵しただけでは、通話時におけるユーザの使い勝手が悪いという問題があった。
【００１１】
本発明は前記問題点を解決するためになされたものであって、本発明の主たる目的は、マイクから入力された送話音声信号からテレビ音声に対応する雑音信号を除去することにより、通話相手へと送信される送話音声信号に混入されるテレビ音声信号を低減させることが可能な電話機能付きテレビジョン装置を提供することである。
【課題を解決するための手段】
【００１２】
この発明のある局面に従えば、テレビジョン信号を受信するテレビジョン信号受信部と、テレビジョン信号からテレビジョン音声信号を抽出するデコード部と、インターネットプロトコル（ＩＰ）を利用して、通話先から受話音声信号を受信するとともに、通話先へ送話音声信号を送信する電話通信部と、テレビジョン音声信号および受話音声信号をそれぞれテレビジョン音声および受話音声に変換して出力可能なスピーカと、入力された送話音声を送話音声信号に変換するマイクと、送話音声信号から、スピーカから出力されてマイクに入力されたテレビジョン音声に起因した第１の雑音信号を除去する送話音声処理部と、を備え、送話音声処理部は、デコード部からのテレビジョン音声に基づいて第１の雑音信号の逆位相信号を生成する逆位相信号生成手段と、マイクからの送話音声信号に逆位相信号を加算して電話通信部へ出力する加算手段と、マイクからの送話音声信号とデコード部からのテレビジョン音声信号とに基づいて、送話音声信号に含まれる第１の雑音信号のテレビジョン音声信号に対する入力遅延時間を算出する遅延時間算出手段と、送話音声信号とテレビジョン音声信号とに基づいて、第１の雑音信号のテレビジョン音声信号に対する音量比率を算出する音量比率算出手段と、を含み、逆位相信号生成手段は、デコード部からのテレビジョン音声信号の位相を反転させるとともに、振幅を音量比率に基づいて増減させ、かつ入力遅延時間に基づいて遅延出力することにより、逆位相信号を生成する。
【００１３】
この発明の別の局面に従えば、テレビジョン信号を受信するテレビジョン信号受信部と、テレビジョン信号からテレビジョン音声信号を抽出するデコード部と、通話先から受話音声信号を受信するとともに、通話先へ送話音声信号を送信する電話通信部と、テレビジョン音声信号をテレビジョン音声に変換して出力可能なスピーカと、入力された送話音声を送話音声信号に変換するマイクと、送話音声信号から、スピーカから出力されてマイクに入力されたテレビジョン音声に起因した第１の雑音信号を除去する送話音声処理部と、を備え、送話音声処理部は、マイクからの送話音声信号とデコード部からのテレビジョン音声信号とに基づいて、送話音声信号に含まれる第１の雑音信号のテレビジョン音声信号に対する入力遅延時間を算出する遅延時間算出手段と、送話音声信号とテレビジョン音声信号とに基づいて、第１の雑音信号のテレビジョン音声信号に対する音量比率を算出する音量比率算出手段と、デコード部からのテレビジョン音声と、入力遅延時間と、音量比率と、に基づいて第１の雑音信号の逆位相信号を生成する逆位相信号生成手段と、マイクからの送話音声信号に逆位相信号を加算して電話通信部へ出力する加算手段と、を含む。
【００１４】
この局面によれば、テレビジョン装置自身が、スピーカから出力する前のテレビ音声信号と入力遅延時間と音量比率とに基づいて、スピーカから出力する前のテレビ音声信号の逆位相信号を生成することによって、送話音声信号からマイクを介して入力される第１の雑音信号を除去する。つまり、テレビジョン装置がマイクから入力された送話音声信号からテレビ音声に対応する雑音信号を除去することによって、通話相手へと送信される送話音声に混入されるテレビ音声を低減させることができる。
【００１５】
好ましくは、逆位相信号生成手段は、デコード部からのテレビジョン音声信号の位相を反転させるとともに、振幅を音量比率に基づいて増減させ、かつ入力遅延時間に基づいて遅延出力することにより、逆位相信号を生成する。
【００１６】
好ましくは、スピーカは、テレビジョン音声信号および受話音声信号をそれぞれテレビジョン音声および受話音声に変換して出力する。
【００１７】
好ましくは、電話通信部は、インターネットプロトコル（ＩＰ）を利用して、通話先との間で通話を行なう。
【００１８】
好ましくは、送話音声処理部は、送話音声信号から、スピーカから出力されてマイクに入力された受話音声に起因した第２の雑音信号を除去し、逆位相信号生成手段は、受話音声信号の位相を反転させるとともに、振幅を音量比率に基づいて増減させ、かつ入力遅延時間に基づいて遅延出力することにより、第２の雑音信号の逆位相信号を生成する。
【００１９】
この発明のさらに別の局面に従えば、上記の電話機能付きテレビジョン装置と、赤外線を介して当該テレビジョン装置を遠隔操作するためのリモコン装置とからなるテレビジョンシステムであって、電話機能付きテレビジョン装置は、無線信号を用いて、リモコン装置との間で送話音声信号と受話音声信号とテレビジョン音声信号とを送受信するための第１の送受信部を、さらに備え、リモコン装置は、第１の送受信部との間で送話音声信号と受話音声信号とテレビジョン音声信号とを送受信するための第２の送受信部と、受信した受話音声信号とテレビジョン音声信号と基づいて受話音声とテレビジョン音声とを出力するリモコン出力部と、入力される送話音声を送話音声信号に変換するリモコン入力部と、を備える。
【００２０】
この発明のさらに別の局面に従えば、電話機能付きテレビジョン装置における雑音信号の除去方法であって、電話機能付きテレビジョン装置は、テレビジョン信号を受信するテレビジョン信号受信部と、テレビジョン信号からテレビジョン音声信号を抽出するデコード部と、通話先から受話音声信号を受信するとともに、通話先へ送話音声信号を送信する電話通信部と、テレビジョン音声信号をテレビジョン音声に変換して出力可能なスピーカと、入力された送話音声を送話音声信号に変換するマイクと、送話音声信号から、スピーカから出力されてマイクに入力されたテレビジョン音声に起因した第１の雑音信号を除去する送話音声処理部と、を備え、雑音信号の除去方法は、送話音声処理部が、マイクからの送話音声信号とデコード部からのテレビジョン音声信号とに基づいて、送話音声信号に含まれる第１の雑音信号のテレビジョン音声信号に対する入力遅延時間を算出するステップと、送話音声処理部が、送話音声信号とテレビジョン音声信号とに基づいて、第１の雑音信号のテレビジョン音声信号に対する音量比率を算出するステップと、送話音声処理部が、デコード部からのテレビジョン音声と、入力遅延時間と、音量比率と、に基づいて第１の雑音信号の逆位相信号を生成するステップと、送話音声処理部が、マイクからの送話音声信号に逆位相信号を加算して電話通信部へ出力するステップと、を備える。
【発明の効果】
【００２１】
以上のように、この発明によって、通話相手へと送信される送話音声に混入されるテレビ音声を低減させることができる。
【発明を実施するための最良の形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
［実施の形態１］
＜全体構成＞
まず、実施の形態１に従うテレビジョン装置２００ａを含むテレビジョンシステム１００ａの全体構成について説明する。図１は、実施の形態１に従うテレビジョン装置２００ａを含むテレビジョンシステム１００ａの全体構成を示す概略図である。図１に示すように、テレビジョンシステム１００ａは、テレビジョン装置２００ａと、アンテナ１０１と、電話回線（屋内配線・加入者回線）３０４ａとを含む。
【００２４】
テレビジョン装置２００ａは、通信回線３０４ａと接続され、一般の電話基地局等に接続可能に構成される。テレビジョン装置２００ａは、アンテナ１０１を介して受信するテレビジョン信号（放送信号）からテレビ映像信号およびテレビ音声信号を抽出し、当該テレビ映像信号に応じた映像を自身のディスプレイ７上に表示するとともに、テレビ音声信号に応じた音声を自身のスピーカ５から出力する。なお、前記テレビジョン信号が、通信回線３０４ａ等の宅内ネットワークを介して伝送される構成であってもよい。
【００２５】
また、テレビジョン装置２００ａは、図示しないリモコン装置から赤外線ＲＦを介して伝送されてくるユーザの操作に応じた操作指令を受信し、当該操作指令に従ってチャンネル選択および音量調整などを実行する。
【００２６】
＜テレビジョン装置＞
特に、本実施の形態に係るテレビジョン装置２００ａは、通話先との間で通話を行なうための電話機能を有する。以下、本実施の形態に係る電話機能を有したテレビジョン装置２００ａの構成について詳述する。
【００２７】
図２は、本実施の形態に係るテレビジョン装置２００ａの概略構成図である。図２に示すように、テレビジョン装置２００ａは、マイク１と、チューナ２と、ＡＶ（Audio Visual；映像音声）デコーダ３と、音声処理部４と、スピーカ５と、映像処理部６と、ディスプレイ７と、通信部８ａと、操作入力部９と、リモコン受光部１０と、ＣＰＵ（Central Processing Unit）１１と、ＲＡＭ（Random Access Memory）１２と、ＲＯＭ（Read Only Memory）１３と、テレビ音声除去回路３１と、を含む。
【００２８】
マイク１は、電話機能付きテレビジョン装置２００ａの使用者であるユーザから発せられる送話音声や、スピーカ５から出力されたテレビ音声などのように、テレビジョン装置２００ａの外部からの音声（以下、マイクに入力される音声をまとめて「送話音声」という）を受け付けて（検知して）、当該送話音声を送話音声信号としてのアナログ音声信号へ変換するものである。以下では、スピーカ５から出力されてマイク１に入力されるテレビ音声（テレビ雑音）に対応する、マイク１によって変換された後の信号を「第１の雑音信号」という。
【００２９】
チューナ２は、アンテナ１０１を介して受信されるテレビジョン信号から選択されたチャンネルに対応する信号を抽出し、当該抽出した信号から搬送波を取除いた後の信号（たとえば、中間周波数信号）を生成する。そして、チューナ２は、たとえばスクランブル符号化されたデジタル信号に対して解除処理もしくは復号化処理を行なった後、当該複合化された信号をＡＶデコーダ３へと出力する。
【００３０】
ＡＶデコーダ３は、チューナ２から出力されるテレビジョン信号からテレビ映像信号とテレビ音声信号とを抽出する（生成する）。そして、ＡＶデコーダ３は、抽出（生成）したテレビ映像信号を映像処理部６へ出力するとともに、抽出（生成）したテレビ音声信号を音声処理部４へ出力する。
【００３１】
音声処理部４は、ＡＶデコーダ３からテレビ音声信号を受け取るとともに、後述する通信部８ａを介して通話先から受信した受話音声信号を受け取る。そして、音声処理部４は、ＣＰＵ１１からの指令に従って、テレビ音声信号および受話音声信号の少なくとも一方を選択的に増幅して、テレビ音声信号および受話音声信号をスピーカ５およびテレビ音声除去回路３１に与える。ここで、音声処理部４は、テレビ音声信号と受話音声信号とを別々の信号のままスピーカ５に出力してもよいし、テレビ音声信号と受話音声信号とが加算（重畳）された信号をスピーカ５やテレビ音声除去回路３１に出力してもよい。テレビ音声信号と受話音声信号とを別々の信号のままスピーカ５に出力する場合には、テレビジョン装置２００ａがテレビ音声信号用の音声処理部と受話音声信号用の音声処理部とを有する構成でもよい。
【００３２】
本実施の形態に係るテレビジョン装置２００ａにおいて、スピーカ５は、テレビジョン装置２００ａの両サイド表面に配置され、音声処理部４にて増幅された信号に基づいて音声を発生する。具体的には、スピーカ５は、音声処理部４から与えられる音声信号に応じて振動する振動板（たとえば、コーン紙）を含んで構成され、当該振動板の振動により空気振動を生じさせることで、音声を発生する。
【００３３】
映像処理部６は、ＡＶデコーダ３から入力されるテレビ映像信号に応じた映像が表示されるように、ディスプレイ７を駆動する。具体的には、映像処理部６は、所定の走査クロックに同期して各画素の色情報を逐次的に出力する。
【００３４】
ディスプレイ７は、映像を表示するための表示部であり、一例として、液晶ディスプレイ（ＬＣＤ：Liquid Crystal Display）、プラズマディスプレイ、もしくはプロジェクタ式ディスプレイなどからなる。
【００３５】
通信部８ａは、音声処理部４と通信回線３０４ａと後述するテレビ音声除去回路３１とに接続され、通信回線３０４ａ上を流れる通話信号（受話信号）を受信して音声処理部４へ与えるとともに、後述するテレビ音声除去回路３１から与えられる通話信号（送話音声信号）を通信回線３０４ａへ送出する。
【００３６】
操作入力部９は、テレビジョン装置２００ａ本体の表面などに設けられたキーボタンなどから構成され、ユーザの操作に応じた操作指令をＣＰＵ１１へ出力する（伝達する）。
【００３７】
リモコン受光部１０は、図示しないリモコン装置から送信される赤外線ＲＦを受光して、復号された操作指令をＣＰＵ１１へ与える。
【００３８】
ＣＰＵ１１は、操作入力部９またはリモコン受光部１０からの指令に応答して、テレビジョン装置２００ａを構成する各部位を制御するための制御部である。
【００３９】
ＲＡＭ１２は、ＣＰＵ１１と接続され、ＣＰＵ１１で実行される処理中に生じる一時的なデータなどを格納するワークメモリとして機能する。
【００４０】
ＲＯＭ１３は、ＣＰＵ１１で実行されるプログラムなどを予め格納している。当該プログラムは、テレビジョン装置２００ａの起動時にＣＰＵ１２によって読み出されてＲＡＭ１２上に格納される。
【００４１】
テレビ音声除去回路３１は、マイク１から送話音声信号が入力され、音声処理部４からスピーカ５から出力される前のテレビ音声信号が入力される。そして、テレビ音声除去回路３１は、前記送話音声信号と前記テレビ音声信号と、に基づいて、前記送話音声信号からマイクを介して入力されるテレビ音声に対応する前記第１の雑音信号を除去し、前記第１の雑音信号が除去された後の送話音声信号を通信部８ａへ出力する。
【００４２】
＜テレビ音声除去回路＞
以下では、実施の形態１に係るテレビ音声除去回路（送話音声処理部）３１について詳述する。図３は、実施の形態１に係るテレビジョン装置２００ａの機能構成を示す機能ブロック図である。図３に示すように、実施の形態１に係るテレビジョン装置２００ａは、音声入力部１−１と、チューナ部２−１と、ＡＶデコード部３−１と、音声処理部４−１と、音声出力部５−１と、映像処理部６−１と、映像出力部７−１と、送話音声処理部（テレビ音声除去回路３１）と、通信部８ａ−１等を備える。
【００４３】
そして、送話音声処理部（テレビ音声除去回路３１）は、遅延時間算出部３１−１と、音量比率算出部３１−２と、逆位相信号生成部３１−３と、雑音信号除去部３１−４と、を含む。本実施の形態に係るテレビジョン装置２００ｂは、当該送話音声処理部を構成する、遅延時間算出部３１−１、音量比率算出部３１−２、逆位相信号生成部３１−３、および雑音信号除去部３１−４の各々を専用のハードウェア回路等によって実現している。
【００４４】
音声入力部１−１は、マイク１によって実現されるものであって、送話音声（ユーザが発する音声、スピーカ５から出力されたテレビ音声、スピーカ５から出力された受話音声などを含む。）が入力され、送話音声をアナログ音声信号の送話音声信号へと変換する。
【００４５】
前述したように、音声処理部４−１は、ＡＶデコーダ３からテレビ音声信号が入力されるとともに、通信部８ａ−１を介して通話先からの受話音声信号が入力される。そして、音声処理部４−１は、ＣＰＵ１１からの指令に従って、テレビ音声信号および受話音声信号の少なくとも一方を選択的に増幅して、スピーカ５に与える。そして、ＡＶデコーダ３から直接入力されたテレビ音声信号を送話音声処理部（テレビ音声除去回路３１）へ出力する。
【００４６】
音声出力部５−１は、スピーカ５によって実現されるものであって、音声処理部４−１から入力される増幅信号に応じた音声を発生する。すなわち、音声出力部５−１からは、テレビ音声と受話音声とが出力される。
【００４７】
遅延時間算出部３１−１は、音声入力部１−１から送話音声信号が入力され、音声処理部４−１からテレビ音声信号と受話音声信号とが入力される。遅延時間算出部３１−１は、入力される２つの信号波形に基づいて当該入力される信号間の遅延時間を算出する。より詳細には、遅延時間算出部３１−１は、音声入力部１−１から入力される送話音声信号のうちの音声出力部５−１から出力されるテレビ音声に対応する第１の雑音信号の波形と、音声処理部４−１から直接入力されるテレビ音声信号の波形とから、２つの信号が遅延時間算出部３１−１に入力されるタイミングのずれを測定（算出）する。また、遅延時間算出部３１−１は、音声入力部１−１から入力される送話音声信号のうちのスピーカ５から出力される受話音声に対応する受話音声信号（以下、第２の雑音信号という。）の波形と、音声処理部４−１から直接入力される受話音声信号の波形とから、２つの信号が入力されるタイミングのずれを測定（算出）する。
【００４８】
ただし、テレビジョン装置２００ａは、音声入力部１−１から入力される送話音声信号のうちの、スピーカ５から出力されるテレビ音声に対応する第１の雑音信号と、スピーカ５から出力される受話音声に対応する第２の雑音信号と、が重畳された信号が、音声処理部４−１から遅延時間算出部３１−１に入力される構成であってもよい。つまり、音声入力部１−１から入力される送話音声信号のうちのスピーカ５から出力されるテレビ音声に対応する第１の雑音信号とスピーカ５から出力される受話音声に対応する第２の雑音信号とが重畳された信号の波形と、音声処理部４−１から直接入力されるテレビ音声信号と受話音声信号とが重畳された信号の波形とから、２つの信号波形が入力されるタイミングのずれを測定（算出）する構成であってもよい。
【００４９】
前記２つの信号波形が入力されるタイミングのずれの測定方法としては、たとえば、テレビジョン装置２００ａの電源がＯＮされた際に、音声処理部４−１から音声出力部５−１を介して音声パルスを発振し、当該音声パルスが音声入力部１−１を介して遅延時間算出部３１−１に入力されるタイミングを測定する方法が考えられる。また、遅延時間算出部３１−１が、ＡＶデコード部３−１や通信部８ａ−１から音声処理部４−１に入力されるテレビ音声信号や受話音声信号の急激な変化（周波数変化や振幅変化など）を検知して、音声出力部５−１および音声入力部１−１を介して当該変化に対応する第１の雑音信号や第２の雑音信号が入力されるタイミングを測定する方法も考えられる。
【００５０】
音量比率算出部３１−２は、音声入力部１−１から送話音声信号が入力され、音声処理部４−１からテレビ音声信号が入力される。音量比率算出部３１−２は、入力される２つの信号の波形に基づいて当該２つの波形の振幅（音声の音量）の比率を算出する。より詳細には、音量比率算出部３１−２は、音声入力部１−１から入力される送話音声信号のうちの第１の雑音信号の波形と、音声処理部４−１から直接入力されるテレビ音声信号との波形から、２つの波形を認識して、当該２つの波形の振幅の大きさの比率を測定（算出）する。本実施の形態においては、音量比率算出部３１−２は、第１の雑音信号の前記テレビ音声信号に対する振幅の大きさの比率を測定（算出）する。
【００５１】
また、音量比率算出部３１−２は、音声入力部１−１から入力される送話音声信号のうちのスピーカ５から出力される受話音声に対応する第２の雑音信号の波形と、音声処理部４−１から直接入力される受話音声信号の波形とから、２つの波形の振幅の大きさの比率も測定（算出）する。
【００５２】
ただし、前述同様に、音声入力部１−１から入力される送話音声信号のうちのテレビ音声に対応する第１の雑音信号と受話音声に対応する第２の雑音信号とが重畳された信号の波形と、音声処理部４−１から直接入力されるテレビ音声信号と受話音声信号とが重畳された信号の波形とから、２つの波形の振幅の比率を測定（算出）する構成であってもよい。
【００５３】
逆位相信号生成部３１−３は、前記遅延時間算出部３１−１から遅延時間が入力され、前記音量比率算出部３１−２から音量比率が入力される。逆位相信号生成部３１−３は、前記遅延時間と前記比率とに基づいて、前記テレビ音声信号からテレビ音声信号の逆位相信号を生成する。より詳細には、前記逆位相信号生成部３１−３は、前記音量比率に基づいて前記音声処理部４−１から入力された前記テレビジョン音声信号を増減幅する増幅器３２と、前記増減幅されたテレビジョン音声の反転させて逆位相信号を生成し、前記入力遅延時間に基づいて前記生成された逆位相信号を遅延させて雑音信号除去部３１−４へ出力する遅延回路３３と、を含んで構成される。同様に、逆位相信号生成部３１−３は、前記遅延時間と前記音量比率とに基づいて、前記受話音声信号から受話音声信号の逆位相信号を生成する。
【００５４】
ただし、逆位相信号生成部３１−３が、前記遅延時間と前記音量比率とに基づいて、前記テレビ音声信号と受話音声信号とが重畳された信号の波形から、前記テレビ音声信号と受話音声信号とが重畳された信号の逆位相信号を生成する構成であってもよい。
【００５５】
雑音信号除去部３１−４は、前記音声入力部１−１から送話音声信号が入力され、前記逆位相信号生成部３１−３から逆位相信号が入力される。そして、雑音信号除去部３１−４は、前記送話音声信号に、テレビ音声信号および受話音声信号から生成された前記逆位相信号を加算する。これによって、雑音信号除去部３１−４は、送話音声信号から第１の雑音信号と第２の雑音信号とを除去し、第１の雑音信号と第２の雑音信号とが除去された送話音声信号を通信部８ａ−１へと出力する。
【００５６】
このような構成とすることによって、本実施の形態に係るテレビジョン装置２００ａは、スピーカ５からテレビ音声が出力されているときにおいても通話中の送話音声信号にテレビ音声信号（第１の雑音信号）や受話音声信号（第２の雑音信号）が混入することを防止でき、テレビジョン放送の視聴中に電話着信があっても、テレビジョン放送の視聴を中断することなく快適に通話を行なうことができる。また、テレビジョン装置２００ａの内部で生成されるテレビ音声信号を利用することにより、複数のマイクによって周囲の音を拾う必要がなくなり、コストダウンを図ることができる。
【００５７】
本実施の形態によれば、ユーザがテレビジョン放送を視聴しながら通話を行う際に、音声処理部４とスピーカ５とを介して受話音声とテレビ音声とが出力される。マイク１には、ユーザが発した発話音声と、スピーカ５から出力された前記受話音声と、スピーカ５から出力されたテレビ音声と、さらに他の雑音と、が混入された送話音声が入力される。マイク１は、前記送話音声を変換して、送話音声信号として送話音声処理部（テレビ音声除去回路３１）へ出力する。
【００５８】
そして、前記送話音声処理部においては、遅延時間算出部３１−１が、前記第１の雑音信号の前記音声処理部４−１から入力されたテレビ音声信号に対する遅延時間を算出する。また、前記送話音声処理部においては、音量比率算出部３１−２が、前記第１の雑音信号の前記音声処理部４−１から入力されたテレビ音声信号に対する音量比率を算出する。
【００５９】
また、前記送話音声処理部においては、逆位相信号生成部３１−３が、前記音量比率に基づいて前記音声処理部４−１から入力されたテレビ音声信号の振幅を調整する。すなわち、逆位相信号生成部３１−３の増幅部３２は、前記音声処理部４−１から入力されたテレビ音声信号の振幅を増幅あるいは減衰させることによって、マイク１から入力されたテレビ音声信号の振幅に一致させる。そして、逆位相信号生成部３１−３の遅延部３３は、前記増減幅された信号を反転させて出力することによって逆位相信号を生成し、前記遅延時間に基づいて前記逆位相信号を遅延させながら雑音信号除去部３１−４へと出力する。
【００６０】
前記送話音声処理部においては、雑音信号除去部３１−４に前記マイク１から入力された送話音声信号と前記逆位相信号とが入力され、前記送話音声信号に前記逆位相信号が加算されて通信部８ａ−１へと出力される。すなわち、雑音信号除去部３１−４において、前記送話音声信号から第１の雑音信号に対応する成分と第２の雑音信号に対応する成分が除去される。これによって、通信部８ａ−１から、スピーカ５から出力されたテレビ音声および受話音声に対応した信号が除去された送話音声信号が送出され、通話相手に伝わる送話音声からテレビ音声や受話音声に対応する成分を低減することができる。以上の送話音声処理の流れについては、実施の形態２中において、フローチャートに基づき再度説明する。
【００６１】
［実施の形態２］
＜全体構成＞
図４は、本実施の形態に従うテレビジョンシステム１００ｂを含む全体構成を示す概略図である。図４を参照して、テレビジョンシステム１００ｂは、テレビジョン装置２００ｂと、リモコン装置２５０と、アンテナ１０１と、宅内ネットワーク３０４ｂとを含む。
【００６２】
テレビジョン装置２００ｂは、宅内ネットワーク３０４ｂと接続され、ゲートウェイ（ＧＷ）３０２を介して外部ネットワーク３０１と接続可能に構成される。なお、宅内ネットワーク３０４ｂは、各装置を相互接続するための有線ネットワークであり、一例として、イーサネット（登録商標）規格に従ってデータ伝送が実現される。
【００６３】
そして、テレビジョン装置２００ｂは、アンテナ１０１などを介して受信するテレビジョン信号からテレビ映像信号およびテレビ音声信号を生成し、当該テレビ映像信号に応じた映像をそのディスプレイ７上に表示するとともに、テレビ音声信号を自身のスピーカ５から出力し、もしくは無線電波ＲＤを用いて当該テレビ音声信号をリモコン装置２５０へ送信する。なお、テレビジョン信号は、宅内ネットワーク３０４ｂを介して伝送される場合もある。
【００６４】
テレビジョン装置２００ｂとリモコン装置２５０との間のテレビ音声信号、受話音声信号および送話音声信号の伝送は、所定の伝送規格に従って実現される。一例として、本実施の形態では、ＩＥＥＥ（Institute of Electrical and Electronics Engineers, Inc.）８０２．１１ａ／ｂ／ｇ／ｎ／ｊとして規定される無線ＬＡＮ（Local Area Network）を用いる。なお、このような無線ＬＡＮは、ＷｉＦｉ（登録商標）などとも称される。さらに、無線ＬＡＮに代えて、ＩＥＥＥ８０２．１５．１として規定されるＢｌｕｅｔｏｏｔｈ（登録商標）、もしくはＩＥＥＥ８０２．１５．３ａとして規定されるＵＭＢなどを用いてもよい。このような音声伝送には、２．４ＧＨｚ帯や５．２ＧＨｚ帯などの無線電波が用いられる。
【００６５】
また、テレビジョン装置２００ｂは、リモコン装置２５０から赤外線ＲＦを介して伝送される、ユーザの操作に応じた操作指令を受信し、当該操作指令に従ってチャンネル選択および音量調整などを実行する。
【００６６】
特に、テレビジョン装置２００ｂは、通話先との間で通話を行なうための電話機能を有する。一例として、テレビジョン装置２００ｂは、インターネットプロトコルを利用したＶｏＩＰ（Voice over Internet Protocol）技術に従って、通話先との間で通話を行なう。また、ＶｏＩＰ技術によれば、通話に係る音声（送話音声および受話音声）はパケット化して伝送される。なお、本実施の形態に係るテレビジョン装置２００ｂは、インターネットプロトコルを用いた電話機能を有するが、通話先の電話機はＩＰ電話機には限られない。すなわち、テレビジョン装置２００ｂと電話機３２０との間に外部ネットワーク３０１が存在すればよく、その経路上に交換機などを設けることで、従来の電話機との間で回線接続することも可能である。
【００６７】
そして、テレビジョン装置２００ｂは、ユーザがリモコン装置２５０を用いて通話を行なえるように、通話先からの受話音声信号をリモコン装置２５０へ送信するとともに、リモコン装置２５０から受信される送話音声信号を通知先に送出する。なお、詳細については後述する。
【００６８】
リモコン装置２５０は、上述したように、ユーザ操作に応じて操作指令を生成し、赤外線ＲＦを介してテレビジョン装置２００ｂへ送信する。なお、赤外線ＲＦによる操作指令の伝送は、リモコン装置２５０からテレビジョン装置２００ｂへの一方向伝送である。
【００６９】
また、リモコン装置２５０は、ヘッドセット３０６を接続可能なジャック部Ｊ１を備える。なお、ジャック部Ｊ１は、少なくとも、リモコン装置２５０からの外部出力経路およ
びリモコン装置２５０への入力経路を有する。そして、リモコン装置２５０は、テレビジョン装置２００ｂから受信されるテレビ音声信号や受話音声信号をジャック部Ｊ１を介して外部出力するとともに、ジャック部Ｊ１を介して入力される送話音声信号をテレビジョン装置２００ｂへ送信する。
【００７０】
一方、ヘッドセット３０６は、音声入出力装置であり、入力される音声信号に従って音声を出力するスピーカ部３０８と、入力される音声に応じた音声信号を生成するマイク部３１０とを含む。そして、ヘッドセット３０６は、ユーザの頭部に装着され、ユーザの耳部もしくはその周辺に当接されるスピーカ部３０８からは、ジャック部Ｊ１から出力される音声信号に応じた音声が発せられる。一方、ユーザの口元もしくはその周辺部に位置するマイク部３１０は、ユーザの発声する音声から音声信号を生成してジャック部Ｊ１へ入力する。
【００７１】
本実施の形態では、ユーザは、リモコン装置２５０およびそれに接続されたヘッドセット３０６を用いて、テレビジョン装置２００ｂから離れた位置においてそのテレビ音声を聴くことができるとともに、テレビジョン装置２００ｂの電話機能を使用して相手先と通話をすることもできる。
【００７２】
より詳細には、ユーザによるテレビジョン装置２００ｂの視聴時には、テレビジョン装置２００ｂで生成されたテレビ音声信号がリモコン装置２５０へ送信され、ジャック部Ｊ１を介してヘッドセット３０８のスピーカ部３０８からテレビ音声が出力される。
【００７３】
一方、ユーザによる電話使用時には、通話先からの受話音声信号がテレビジョン装置２００ｂからリモコン装置２５０へ送信され、ジャック部Ｊ１を介してヘッドセット３０８のスピーカ部３０８から受話音声が出力される。並行して、ユーザが発した送話音声は、ヘッドセット３０８のマイク部３１０で送話音声信号に変換され、リモコン装置２５０からテレビジョン装置２００ｂへ送信された後、通話先へ送出される。
【００７４】
以下、上記のような動作を実現するためのテレビジョン装置２００ｂおよびリモコン装置２５０の構成について詳述する。
【００７５】
＜テレビジョン装置＞
図５は、本実施の形態に係るテレビジョン装置２００ｂの概略構成図である。図５を参照して、テレビジョン装置２００ｂは、マイク１と、チューナ２と、ＡＶ（Audio Visual；映像音声）デコーダ３と、音声処理部４と、スピーカ５と、映像処理部６と、ディスプレイ７と、ネットワークインターフェイス（ＩＦ：Interface）部８ｂと、操作入力部９と、リモコン受光部１０と、ＣＰＵ（Central Processing Unit）１１と、ＲＡＭ（Random Access Memory）１２と、ＲＯＭ（Read Only Memory）１３と、送受信部１４と、ＯＳＤ（On Screen Display）部１６と、Ａ／Ｄ変換器４１とを含む。
【００７６】
マイク１、チューナ２、ＡＶデコーダ３、音声処理部４、スピーカ５、映像処理部６、ディスプレイ７、操作入力部９、リモコン受光部１０、ＲＡＭ１２、およびＲＯＭ１３は、実施の形態１のものと同様であるため、ここではそれらについての説明は繰り返さない。
【００７７】
ネットワークインターフェイス部８ｂは、宅内ネットワーク３０４ｂに接続され、宅内ネットワーク３０４ｂ上を流れるデータパケットを受信してＣＰＵ１１もしくは内部バス１５へ与えるとともに、ＣＰＵ１１もしくは内部バス１５から与えられるデータを宅内ネットワーク３０４ｂへ送出する。
【００７８】
ＣＰＵ１１は、操作入力部９またはリモコン受光部１０からの指令に応答して、テレビジョン装置２００ｂを構成する各部位を制御するための制御部である。また、ＣＰＵ１１は、ＲＯＭ１３などに予め格納されるプログラムを実行することで、ＩＰ電話機能部１１Ａを実現する。
【００７９】
本実施の形態に係るＣＰＵ１１は、Ａ／Ｄ変換器４１から入力される送話音声信号と、音声処理部４から入力されるテレビ音声信号と、ネットワークＩ／Ｆ部８ｂ−１から入力される受話音声信号と、に基づいて、前記送話音声信号からテレビ音声および受話音声信号を除去する送話音声処理機能を有する。送話音声処理機能は、ＣＰＵ１１によって実現される後述の送話音声処理部が有する機能である。
【００８０】
ＩＰ電話機能部１１Ａは、ユーザの操作に応じた通話先への発呼処理、もしくは通話先からの着信処理を実行し、通話先との間で回線接続する。そして、ＩＰ電話機能部１１Ａは、当該通話先から受信される受話音声信号を内部バス１５を介して音声処理部４へ伝送するとともに、マイク１および送受信部１４から与えられる送話音声信号を当該通話先へ送出する。
【００８１】
送受信部１４は、リモコン装置２５０（図４および図７）との間で音声信号を送受信するための部位であり、音声処理部４からＣＰＵ１１を介して受け取る音声信号を変調した無線電波を送信するとともに、リモコン装置２５０から受信した無線電波を音声信号に復調した後、ＣＰＵ１１へ伝送する。なお、送受信部１４は、テレビジョン装置２００ｂに予め内蔵されていなくともよく、必要に応じて、送受信部１４に相当するユニットを外付けできるように構成してもよい。
【００８２】
ＯＳＤ部１６は、ＣＰＵ１１からの制御指令に応答して、ディスプレイ７にユーザインターフェイス画面を表示するための映像データを生成し、ＣＰＵ１１および内部バス１５を介して映像処理部６へ出力する。
【００８３】
Ａ／Ｄ変換器４１は、マイク１から入力されたアナログ信号である送話音声信号を、デジタル信号の送話音声信号に変換する。
【００８４】
＜送話音声処理部＞
以下では、実施の形態２に係る送話音声処理部（ＣＰＵ１１）について詳述する。図６は、実施の形態２に係るテレビジョン装置２００ａの機能構成を示す機能ブロック図である。図６に示すように、実施の形態２に係るテレビジョン装置２００ｂは、音声入力部１−２と、チューナ部２−１と、ＡＶデコード部３−１と、音声処理部４−２と、音声出力部５−１と、映像処理部６−１と、映像出力部７−１と、送話音声処理部（ＣＰＵ１１）と、通信部８ｂ−１等を備える。
【００８５】
そして、送話音声処理部（ＣＰＵ１１）は、遅延時間算出部１１−１と、音量比率算出部１１−２と、逆位相信号生成部１１−３と、雑音信号除去部１１−４と、受話音声処理部１１−５とを含む。逆位相信号生成部１１−３は、増幅部１１−６と、遅延部１１−７とを有する。本実施の形態に係るテレビジョン装置２００ｂにおいては、遅延時間算出部１１−１、音量比率算出部１１−２、逆位相信号生成部１１−３、雑音信号除去部１１−４、受話音声処理部１１−５、増幅部１１−６、および遅延部１１−７の各々を、ＣＰＵ１１によって実行されるソフトウェアによって実現する。
【００８６】
音声入力部１−２は、マイク１およびＡ／Ｄ変換器４１によって実現されるものであって、送話音声（ユーザが発する音声、スピーカ５から出力されたテレビ音声、スピーカ５から出力された受話音声などを含む。）が入力され、入力された送話音声をアナログ音声信号へと変換する。また、音声入力部１−２は、変換されたアナログ信号をデジタル信号へと変換して、送話音声信号としてＣＰＵ１１へと出力する。
【００８７】
音声処理部４−２は、ＡＶデコーダ３からテレビ音声信号が入力されるとともに、通信部８ａ−１および受話音声処理部１１−５を介して通話先からの受話音声信号が入力される。そして、音声処理部４−２は、ＣＰＵ１１からの指令に従って、テレビ音声信号および受話音声信号をアナログ信号に変換して、テレビ音声信号および受話音声信号の少なくとも一方を選択的に増幅して、スピーカ５−１に与える。また、音声処理部４−２は、ＡＶデコーダ３から入力されたテレビ音声信号をデジタル信号に変換してＣＰＵ１１へ出力する。
【００８８】
音声出力部５−１、遅延時間算出部１１−１、音量比率算出部３１−２、逆位相信号生成部３１−３、雑音信号除去部３１−４、受話音声処理部１１−５、増幅部１１−６、遅延部１１−７の各々が有する機能は、実施の形態１と同様である。しかし、前述したように本実施の形態に係る送話音声処理部（送話音声処理部を構成する遅延時間算出部１１−１、音量比率算出部３１−２、逆位相信号生成部３１−３、雑音信号除去部３１−４、受話音声処理部１１−５、増幅部１１−６、遅延部１１−７）は、予めＲＯＭ１３に記憶されており、ＣＰＵ１１によって実行されるソフトウェアによって実現される。
【００８９】
また、こうしたソフトウェアは、ＦＤ（Flexible Disk）やＣＤ−ＲＯＭ（Compact Disk-Read Only Memory)などの記録媒体に格納されて、もしくはネットワークなどを介して流通し得る。そして、前記ソフトウェアは、ＦＤ駆動装置やＣＤ−ＲＯＭ駆動装置などにより前記記録媒体から読取られて、あるいは通信部８ｂ−１にて受信されて、ＲＡＭ１２に格納され得る。より詳細には、たとえば、前記ソフトウェアは、固定ディスクからメモリに読出されて、ＣＰＵ１０５により実行される。
【００９０】
つまり、本実施の形態に係るテレビジョン装置２００ｂにおいては、音声入力部１−２が、送話音声をＰＣＭ等のＣＰＵ１１が演算処理可能なデータに変換する。ＣＰＵ１１が、当該変換された送話音声信号のデジタル信号と、音声処理部４から入力されるテレビ音声信号と、ネットワークＩ／Ｆ部８ｂ−１から入力される受話音声信号と、に基づいて、テレビ音声信号および受話音声信号を送話音声信号から除去する。ＣＰＵ１１が、テレビ音声信号および受話音声信号が除去された送話音声信号をＩＰ電話機能部１１Ａを介して通信部８ｂ−１に出力する。
【００９１】
このような構成とすることによって、本実施の形態に係るテレビジョン装置２００ｂは、テレビ音声が出力されているときにおいても通話中の送話音声にテレビ音声が混入することを防止でき、テレビジョン放送の視聴中に電話着信があっても、テレビジョン方法の視聴を中断することなく快適に通話を行なうことができる。
【００９２】
＜リモコン装置の構成＞
図７は、本実施の形態に係るリモコン装置２５０の概略構成図である。図７を参照して、リモコン装置２５０は、ＣＰＵ２１と、送受信部２２と、音声処理部２３と、マイク部２４と、リモコン送信部２５と、ＲＯＭ２６と、ＲＡＭ２７と、操作入力部２８と、ジャック部Ｊ１とを含む。
【００９３】
ＣＰＵ２１は、リモコン装置２５０を構成する各部位を制御するための制御部である。
送受信部２２は、テレビジョン装置２００ｂ（図４および図５）との間で音声信号を送受信するための部位であり、音声処理部２３からＣＰＵ２１を介して受け取る音声信号を変調した無線電波を送信するとともに、テレビジョン装置２００ｂから受信した無線電波を音声信号に復調した後、ＣＰＵ２１を介して音声処理部２３へ伝送する。
【００９４】
音声処理部２３は、ジャック部Ｊ１およびＣＰＵ２１に接続され、ＣＰＵ２１からの制御指令に応じて、送受信部２２で受信されるデジタル化された音声信号をアナログの音声信号に変換して、ジャック部Ｊ１を介して外部出力する。また、音声処理部２３は、ジャック部Ｊ１を介してヘッドセット３０６から入力されるアナログの音声信号をデジタル化した後、送受信部２２へ与える。代替的に、音声処理部２３は、リモコン装置２５０に含まれるマイク部２４から与えられるアナログの音声信号をデジタル化した後、送受信部２２へ与える。
【００９５】
さらに、音声処理部２３は、ジャック部Ｊ１へ向けて出力する音声信号、もしくはジャック部Ｊ１から入力される音声信号に基づいて、ジャック部Ｊ１へのヘッドセット３０６の接続状態を判断する。一例として、音声処理部２３は、出力される音声信号の電流値（もしくは、イピーダンス値）の大きさに基づいて、ヘッドセット３０６が接続状態であるか、非接続状態であるかを判断する。
【００９６】
マイク部２４は、リモコン装置２５０の表面部などに配置され、ユーザが発する音声を集音し、当該集音した音声に応じた音声信号を生成する。そして、マイク部２４は、生成した音声信号を音声処理部２３へ出力する。
【００９７】
リモコン送信部２５は、ユーザの操作による操作入力部２８からの操作指令をＣＰＵ２１を介して受け取ると、当該操作指令によって変調された赤外線ＲＦを発光する。なお、赤外線ＲＦは、音声信号を送受信する無線電波に比較して消費電力が少なく、かつユーザによる操作時においてのみ発せられる。
【００９８】
ＲＯＭ２６は、ＣＰＵ２１で実行されるプログラムなどを予め格納しており、リモコン装置２５０の起動時にＣＰＵ２２によって読み出される。
【００９９】
ＲＡＭ２７は、ＣＰＵ２１と接続され、ＣＰＵ２１で実行される処理中に生じる一時的なデータなどを格納するワークメモリとして機能する。
【０１００】
操作入力部２８は、ユーザ操作を受付けるユーザインターフェイスとして機能し、リモコン装置２５０本体の表面などに設けられる。一例として、操作入力部２８は、キーボタンなどで構成してもよい。
【０１０１】
本実施の形態に従うＣＰＵ１１は、操作入力部９またはリモコン受光部１０から与えられるユーザ操作に応答して、もしくはＩＰ電話機能部１１Ａによる着信処理の発生に応答して、「基本モード」もしくは「視聴モード」もしくは「電話モード」のいずれかを選択する。
【０１０２】
「基本モード」の選択中においては、ＣＰＵ１１は、音声処理部４に制御指令を与え、音声処理部４からのテレビ音声信号および受話音声信号の出力を有効にし、テレビジョン装置２００ｂからリモコン装置２５０へのテレビ音声信号および受話音声信号の送信を無効にする。加えて、ＣＰＵ１１は、送話音声処理部による第１の雑音信号の除去処理の機能と第２の雑音信号の除去処理の機能とを有効にする。
【０１０３】
「電話モード」の選択中においては、ＣＰＵ１１は、音声処理部４に制御指令を与え、ＩＰ電話機能部１１Ａから音声処理部４への受話音声信号の出力を無効にし、テレビジョン装置２００ｂからリモコン装置２５０への受話音声信号の送信を有効にする。そして、音声処理部４からのテレビ音声信号の出力を有効にし、テレビジョン装置２００ｂからリモコン装置２５０へのテレビ音声信号の送信を無効にする。加えて、ＣＰＵ１１は、ヘッドセット３０６がリモコン装置２５０に接続されている場合は、送話音声処理部による第２の雑音信号の除去処理の機能を有効にし、ヘッドセット３０６がリモコン装置２５０に接続されていない場合は、送話音声処理部による第２の雑音信号の除去処理の機能を有効にする。どちらの場合も、ＣＰＵ１１は、送話音声処理部による第１の雑音信号の除去処理の機能を有効にする。
【０１０４】
「視聴モード」の選択中においては、ＣＰＵ１１は、音声処理部４に制御指令を与え、音声処理部４からのテレビ音声信号および受話音声信号の出力を無効にし、テレビジョン装置２００ｂからリモコン装置２５０へのテレビ音声信号のみの送信を有効にする。加えて、ＣＰＵ１１は、送話音声処理部による第１の雑音信号の除去処理の機能と第２の雑音信号の除去処理の機能とを無効にする。
【０１０５】
＜使用態様＞
本発明の実施の形態に従うテレビジョンシステム１００の使用態様について以下に詳述する。図８は、「電話モード」の選択時におけるテレビジョンシステム１００の使用態様を示す図である。図８（ａ）は、リモコン装置２５０にヘッドセット３０６が接続された状態を示す。図８（ｂ）は、リモコン装置２５０にヘッドセット３０６が接続されていない状態を示す。
【０１０６】
図８（ａ）を参照して、「電話モード」が選択されている状態において、ユーザがヘッドセット３０６をリモコン装置２５０に接続すると、リモコン装置２５０の音声処理部２３（図７）は、ヘッドセット３０６が接続状態であると判断し、ＣＰＵ２１（図７）へその判断結果を出力する。この判断結果に応答して、ＣＰＵ２１は、送受信部２２（図７）で受信されるテレビジョン装置２００ｂからの受話音声信号を音声処理部２３へ与える。そして、音声処理部２３は、その受話音声信号をジャック部Ｊ１を介してヘッドセット３０６へ出力する。すると、スピーカ部３０８から受話音声が出力される。
【０１０７】
また、この判断結果に応答して、ＣＰＵ２１は、送受信部２２（図７）を介して非接続状態の通知をテレビジョン装置２００ｂへ送信する。すると、テレビジョン装置２００ｂのＣＰＵ１１（図７）は、音声処理部４（図２および図３）へ制御指令を与え、テレビ音声のみをテレビジョン装置２００ｂのスピーカ５から出力させる。
【０１０８】
一方、ユーザが発した送話音声は、ヘッドセット３０６のマイク部３１０で受話音声信号に変換され、ジャック部Ｊ１を介してリモコン装置２５０へ与えられる。そして、当該受話音声信号は、音声処理部２３からＣＰＵ２１を介して送受信部２２（図７）へ与えられ、テレビジョン装置２００ｂへ送信される。そして、前述したように、ＣＰＵ１１は、送受信部１４に入力されてきた送話音声信号から、第１の雑音信号のみを除去する処理を行なう。
【０１０９】
したがって、無線電波ＲＤには、テレビジョン装置２００ｂからリモコン装置２５０へ送信される受話音声信号、およびリモコン装置２５０からテレビジョン装置２００ｂへ送信される送話音声信号が含まれる。
【０１１０】
図８（ｂ）を参照して、「電話モード」が選択されている場合において、ユーザがヘッドセット３０６をリモコン装置２５０から取り外すと、リモコン装置２５０の音声処理部２３（図７）は、ヘッドセット３０６が非接続状態であると判断し、ＣＰＵ２１（図７）へその判断結果を出力する。この判断結果に応答して、ＣＰＵ２１は、送受信部２２（図７）を介して非接続状態の通知をテレビジョン装置２００ｂへ送信する。すると、テレビジョン装置２００ｂのＣＰＵ１１（図７）は、音声処理部４（図２および図３）へ制御指令を与え、テレビ音声と受話音声とをテレビジョン装置２００ｂのスピーカ５から出力させる。
【０１１１】
一方、ユーザが発した送話音声は、ヘッドセット３０６のマイク部３１０で送話音声信号に変換され、ジャック部Ｊ１を介してリモコン装置２５０へ与えられる。そして、当該送話音声信号は、リモコン装置２５０の音声処理部２３からＣＰＵ２１を介して送受信部２２（図７）へ与えられ、テレビジョン装置２００ｂへ送信される。そして、前述したように、テレビジョン装置２００ｂのＣＰＵ１１は、送受信部１４に入力されてきた送話音声信号から、第１の雑音信号と第２の雑音信号とを除去する処理を行なう。
【０１１２】
したがって、無線電波ＲＤには、リモコン装置２５０からテレビジョン装置２００ｂへ送信される送話音声信号が含まれる。
【０１１３】
本実施の形態によれば、ユーザがテレビジョン放送を視聴しながら通話を行う際に、マイク部２４，３１０には、ユーザが発した発話音声と、スピーカ５から出力されたテレビ音声と、さらに他の雑音とが混入された送話音声が入力され、ヘッドセット３０６をＪ１に接続した際にはスピーカ５から出力された前記受話音声も、マイク部２４，３１０に入力される。マイク２４，３１０は前記送話音声を送話音声信号に変換し、送受信部２２が当該送話音声信号をテレビジョン装置２００ｂの送受信部１１へと送信する。
【０１１４】
＜送話音声処理＞
図９は、ＣＰＵ１１上で実行される送話音声処理に係る制御プログラムのフローチャートである。図９に示すように、まず、テレビジョン装置２００ｂの電源がＯＮされる。すると、前記送話音声処理部（ＣＰＵ１１）において、遅延時間算出部１１−１が、リモコン装置２５０から受信した送話音声信号のうちの前記第１の雑音信号の、前記音声処理部４−２から入力されたテレビ音声信号に対する遅延時間を算出する（Ｓ１０１）。また、前記送話音声処理部においては、音量比率算出部１１−２が、前記第１の雑音信号の前記音声処理部４−２から入力されたテレビ音声信号に対する音量比率を算出する（Ｓ１０２）。
【０１１５】
次に、ＣＰＵ１１は通話中であるか否かの判断を行なう（Ｓ１０３）。通話中である場合（Ｓ１０３においてＹＥＳの場合）、前記送話音声処理部においては、逆位相信号生成部１１−３が、前記音量比率に基づいて前記音声処理部４−２から入力されたテレビ音声信号を増減幅する（Ｓ１０４）。すなわち、逆位相信号生成部１１−３は、前記音声処理部４−２から入力されたテレビ音声信号の振幅をマイク１から入力されたテレビ音声信号の振幅に一致させる。そして、逆位相信号生成部１１−３は、前記増減幅された信号を反転されて出力することによって逆位相信号を生成し（Ｓ１０５）、前記遅延時間に基づいて前記逆位相信号を遅延させながら除去部１１−４へと出力する（Ｓ１０６）。
【０１１６】
前記送話音声処理部においては、雑音信号除去部１１−４に前記マイク１から入力された送話音声信号と前記逆位相信号とが入力され、前記送話音声信号に前記逆位相信号が加算されて通信部８ｂ−１へと出力される（Ｓ１０７）。すなわち、雑音信号除去部１１−４において、前記送話音声信号から第１の雑音信号に対応する成分が除去される。これによって、通信部８ｂ−１からはスピーカ５から出力されたテレビ音声に対応した第１および第２の雑音信号が除去された送話音声信号が送信され、通話相手に伝わる送話音声信号のうちのテレビ音声に対応する成分を低減することができる。そして、ＣＰＵ１１は、テレビジョン装置２００ｂの電源がＯＦＦされるまでＳ１０３〜Ｓ１０７の処理を繰り返すものとし、テレビジョン装置２００ｂの電源がＯＦＦされると送話音声処理を終了する。
【０１１７】
図１０は、「視聴モード」の選択時におけるテレビジョンシステム１００の使用態様を示す図である。図１０を参照して、ユーザがリモコン装置２５０を操作して、「視聴モード」が選択されると、当該選択信号に応答して、テレビジョン装置２００ｂは、選択されたチャンネルに対応するテレビジョン信号からテレビ映像信号およびテレビ音声信号を生成する。そして、テレビジョン装置２００ｂは、当該生成されたテレビ映像信号に応じた映像をその画面上に表示するとともに、テレビ音声信号を無線電波ＲＤを用いてリモコン装置２５０へ送信する。リモコン装置２５０の音声処理部２３（図７）は、そのテレビ音声信号をジャック部Ｊ１を介してヘッドセット３０６へ出力する。すると、スピーカ部３０８からテレビ音声が出力される。
【０１１８】
したがって、無線電波ＲＤには、テレビジョン装置２００ｂからリモコン装置２５０へ送信される放送音声信号が含まれる
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１１９】
【図１】実施の形態１に従うテレビジョン装置を含むテレビジョンシステムの全体構成を示す概略図である。
【図２】実施の形態１に係るテレビジョン装置の概略構成図である。
【図３】実施の形態１に係るテレビジョン装置の機能構成を示す機能ブロック図である。
【図４】実施の形態２に従うテレビジョンシステムを含む全体構成を示す概略図である。
【図５】実施の形態２に係るテレビジョン装置の概略構成図である。
【図６】実施の形態２に係るテレビジョン装置の機能構成を示す機能ブロック図である。
【図７】実施の形態２に係るリモコン装置の概略構成図である。
【図８】「電話モード」の選択時におけるテレビジョンシステムの使用態様を示す図である。
【図９】ＣＰＵ上で実行される送話音声処理に係る制御プログラムのフローチャートである。
【図１０】「視聴モード」の選択時におけるテレビジョンシステムの使用態様を示す図である。
【符号の説明】
【０１２０】
１  マイク、２  チューナ、３  ＡＶデコーダ、４  音声処理部、５  スピーカ、６  映像処理部、７  ディスプレイ、８ａ，８ｂ  通信部、９  操作入力部、１０  リモコン受光部、１１  ＣＰＵ（送話音声処理部）１１−１，３１−１  遅延時間算出部、１１−２，３１−２  音量比率算出部、１１−３，３１−３  逆位相信号生成部、１１−４，３１−４  雑音信号除去部、１１−６，３２  増幅部（増幅器）、１１−７，３３  遅延部（遅延回路）、１４  送受信部、１５  内部バス、２２  送受信部、２３  音声処理部、２４，３１０  マイク部、２５  リモコン送信部、２８  操作入力部、３１  テレビ音声除去回路（送話音声処理部）、１００ａ，１００ｂ  テレビジョンシステム、１０１  アンテナ、２００ａ，２００ｂ  テレビジョン装置、２５０  リモコン、３０１  外部ネットワーク、３０４ａ，３０４ｂ  宅内ネットワーク、３０６  ヘッドセット、Ｊ１  ジャック部。
【図１】
2008311876.tif 000003
【図２】
2008311876.tif 000004
【図３】
2008311876.tif 000005
【図４】
2008311876.tif 000006
【図５】
2008311876.tif 000007
【図６】
2008311876.tif 000008
【図７】
2008311876.tif 000009
【図８】
2008311876.tif 000010
【図９】
2008311876.tif 000011
【図１０】
2008311876.tif 000012